(57)【要約】【解決手段】本発明は、マイクロ器具を挿通するための作業通路（１１）を備える内視鏡ヘッド（１）と、作業通路（１１）を通して挿通可能な器具が内視鏡ヘッド（１）の横方向へ偏向するために接触することができる器具案内面（２０）を備える、内視鏡ヘッド（１）に回転可能に配置されたアルバランレバー（２）と、アルバランレバー（２）に向かい合うように設けられる、内視鏡ヘッド（１）の遠位の端部区域に配置されて近位の側から操作可能な旋回レバー（３）とを有する内視鏡に関する。アルバランレバー（２）は旋回レバー（３）から間隔をおいている。旋回レバー（３）の旋回は、アルバランレバー（２）が旋回レバー（３）と接触せずに一緒に旋回することを惹起する。さらに本発明は、内視鏡ヘッド（１）の遠位の側に装着可能であるキャップ（４）に関し、キャップ（４）はこれに回転可能に支承されたアルバランレバー（２）を有し、アルバランレバー（２）は、磁性体、または磁場によって影響を与えることが可能な物体を有している。
2019531145.tif 000002
【特許請求の範囲】
【請求項１】
マイクロ器具を挿通するための作業通路（１１）を備える内視鏡ヘッド（１）と、
前記作業通路（１１）を通して挿通可能な器具が前記内視鏡ヘッド（１）の横方向へ偏向するために接触することができる器具案内面（２０）を備える、前記内視鏡ヘッド（１）に回転可能に配置されたアルバランレバー（２）と、
前記アルバランレバー（２）に向かい合うように設けられる、前記内視鏡ヘッド（１）の遠位の端部区域に配置されて近位の側から操作可能な旋回レバー（３）とを有し、
前記アルバランレバー（２）は前記旋回レバー（３）から間隔をおいており、前記旋回レバー（３）の旋回は、前記アルバランレバー（２）が前記旋回レバー（３）と接触せずに一緒に旋回することを惹起する内視鏡。
【請求項２】
前記旋回レバー（３）は前記内視鏡ヘッド（１）のハウジング（１６）の内部に配置され、
前記アルバランレバー（２）は前記内視鏡ヘッド（１）の前記ハウジング（１６）の外部に配置される、請求項１に記載の内視鏡。
【請求項３】
前記アルバランレバー（２）は前記内視鏡ヘッド（１）の遠位の端部区域に回転可能に支承される、請求項１または２に記載の内視鏡。
【請求項４】
前記内視鏡は前記内視鏡ヘッド（１）の遠位の側に装着可能なキャップ（４）をさらに有し、
前記アルバランレバー（２）は前記キャップ（４）に回転可能に支承される、請求項１または２に記載の内視鏡。
【請求項５】
前記アルバランレバー（２）は、磁性体、または磁場によって影響を与えることが可能な物体を有し、前記旋回レバー（３）は、磁場によって影響を与えることが可能な物体、または磁性体を有する、請求項１から４のいずれか１項に記載の内視鏡。
【請求項６】
前記アルバランレバー（２）の回転軸と前記旋回レバー（３）の回転軸は仮想的な１つの線の上に配置される、請求項１から５のいずれか１項に記載の内視鏡。
【請求項７】
前記旋回レバー（３）は牽引ワイヤによって操作可能である、請求項１から６のいずれか１項に記載の内視鏡。
【請求項８】
前記アルバランレバー（２）はプラスチックから製作され、
前記アルバランレバー（２）に磁性体、または磁場によって影響を与えることが可能な物体が挿入される、請求項１から７のいずれか１項に記載の内視鏡。
【請求項９】
前記アルバランレバー（２）は、磁性体、または磁場によって影響を与えることが可能な物体が分散されたプラスチックから製作される、請求項１から７のいずれか１項に記載の内視鏡。
【請求項１０】
内視鏡ヘッド（１）の遠位の側に装着可能であるキャップ（４）において、
前記キャップ（４）はこれに回転可能に支承されたアルバランレバー（２）を有し、前記アルバランレバー（２）は、磁性体、または磁場によって影響を与えることが可能な物体を有しているキャップ。
【請求項１１】
前記キャップ（４）はプラスチックから製作される、請求項１０に記載のキャップ（４）。
【請求項１２】
前記アルバランレバー（２）はプラスチックから製作され、
前記アルバランレバー（２）に磁性体、または磁場によって影響を与えることが可能な物体が挿入される、請求項１０または１１に記載のキャップ（４）。
【請求項１３】
前記アルバランレバー（２）は、磁性体、または磁場によって影響を与えることが可能な物体が分散されたプラスチックから製作される、請求項１０から１２のいずれか１項に記載のキャップ（４）。
【発明の詳細な説明】
【技術分野】
【０００１】
本発明は、内視鏡ヘッドと、内視鏡ヘッドに装着可能なキャップとを有する内視鏡に関する。より厳密に言うと本発明は、マイクロ器具を挿通するための作業通路と、内視鏡ヘッドに回転可能に配置されるアルバランレバーとを備えた内視鏡ヘッドを有する内視鏡に関し、および、内視鏡ヘッドに装着可能なキャップに関する。
【背景技術】
【０００２】
このようなアルバランレバーは、内視鏡において、たとえば食道あるいは十二指腸、胆管、胆のう、膵管、膵臓などを検査するために利用することができる。
このような内視鏡は光学系（照明装置とカメラ）を有する。さらに内視鏡は作業通路の出口のところに、作業通路に差し込まれる器具の的確な方向転換を旋回によって可能にするアルバランレバーを有する。
【０００３】
内視鏡の使用後、内視鏡は前処理が施される。このような前処理はバクテリア、ウイルス、真菌類、虫、あるいはカビなどのあらゆる細菌や微生物の伝播を確実に排除しなければならない。前処理の際には、有機物質や化学品の残滓を残留物なしに取り除くために、まず内視鏡が手作業で洗浄される。洗浄後、機械式の殺菌または滅菌が行われる。このようにして、内視鏡の使用時に内視鏡が接触した細菌や微生物などが、次回の使用時に患者へ伝播するのを回避することが意図される。
【０００４】
たとえば特許文献１は、アルバランレバーを有する内視鏡を開示している。より厳密に言うとこの内視鏡は、内視鏡から取外し可能な支持体を有していて、これにアルバランレバーが、支持体で支持される軸に旋回可能に配置されている。アルバランレバーの旋回は、アルバランレバーに定着されて内視鏡に挿通される牽引ワイヤを介して惹起される。
【先行技術文献】
【特許文献】
【０００５】
【特許文献１】ドイツ特許第１９６２７０１６Ｃ１
【発明の概要】
【発明が解決しようとする課題】
【０００６】
本発明の課題は、内視鏡が接触した細菌が次回の使用時に患者へ伝播することがいっそう良好に回避される内視鏡を提供することにある。
【課題を解決するための手段】
【０００７】
この課題は、請求項１の構成要件を有する内視鏡によって解決される。好ましい発展例は従属請求項の対象である。
【０００８】
本発明による内視鏡は、マイクロ器具を挿通するための作業通路を備える内視鏡ヘッドと、作業通路を通して挿通可能な器具が内視鏡ヘッドの横方向へ偏向するために接触することができる器具案内面を備える、内視鏡ヘッドに回転可能に配置されたアルバランレバーと、アルバランレバーに向かい合うように設けられる、内視鏡ヘッドの遠位の端部区域に配置されて近位の側から操作可能な旋回レバーとを有する。アルバランレバーは旋回レバーから間隔をおいている。旋回レバーの旋回は、アルバランレバーが旋回レバーと接触せずに一緒に旋回することを惹起する。
【０００９】
この内視鏡では、アルバランレバーは旋回レバーと接触せずに一緒に旋回する。さらに、アルバランレバーの旋回を惹起する旋回レバーと、アルバランレバー自体とが互いに分離されて配置される。
旋回レバーは内視鏡ヘッドのハウジングの内部に配置されていてよく、アルバランレバーは内視鏡ヘッドのハウジングの外部に配置されていてよい。アルバランレバーが使用時に細菌などとの接触に暴露されるとき、アルバランレバーの旋回を惹起する旋回レバーは内視鏡ヘッドのハウジングの中に隠れたままに保たれ、細菌などとの接触に暴露されることがない。アルバランレバーから旋回レバーへ、さらに旋回レバー操作手段への細菌の伝播が行われることがない。
【００１０】
アルバランレバーは、内視鏡ヘッドの遠位の端部区域に回転可能に支承されていてよい。このようなアルバランレバーは、内視鏡ヘッドから取外し可能に設けられていてよい。
さらに、別案として内視鏡は、内視鏡ヘッドの遠位の側に装着可能なキャップを有することができ、アルバランレバーはこのキャップに回転可能に支承されていてよい。
【００１１】
アルバランレバーは、磁性体、または磁場によって影響を与えることが可能な物体を有することができ、旋回レバーは、磁場によって影響を与えることが可能な物体、または磁性体を有することができる。それにより、アルバランレバーが旋回レバーと接触せずに一緒に旋回することが可能となる。アルバランレバーが旋回レバーと接触せずに一緒に旋回する、これ以外の技術的な解決法も適用可能である。
【００１２】
アルバランレバーの回転軸と旋回レバーの回転軸は、仮想的な１つの線の上に配置されていてよい。旋回レバーは牽引ワイヤによって操作可能であってよい。
アルバランレバーはプラスチックから製作されていてよく、アルバランレバーには、磁性体、または磁場によって影響を与えることが可能な物体が挿入されていてよい。
アルバランレバーは、磁性体、または磁場によって影響を与えることが可能な物体が中に分散されたプラスチックから製作されていてよい。
【００１３】
内視鏡ヘッドの遠位の側に装着可能である本発明によるキャップは、これに回転可能に支承されるアルバランレバーを有しており、アルバランレバーは磁性体、または磁場によって影響を与えることが可能な物体を有している。このようなキャップは、使用後にキャップをアルバランレバーとともに処分できることを可能にし、それに対して、アルバランレバーの運動を引き起こす部材はアルバランレバーとは別個に設計可能であり、アルバランレバーとは別に取り扱うことができる。
【００１４】
キャップはプラスチックから製作されていてよい。このようにしてキャップが低コストになり、このことはキャップの一回だけの使用を可能にする。
アルバランレバーはプラスチックから製作されていてよく、アルバランレバーには、磁性体、または磁場によって影響を与えることが可能な物体が挿入されていてよい。
アルバランレバーは、磁性体、または磁場によって影響を与えることが可能な物体が中に分散されたプラスチックから製作されていてよい。
【００１５】
上に説明した本発明の各態様を適切に組み合わせることができる。
【図面の簡単な説明】
【００１６】
【図１】本発明の一実施例のキャップを示す模式的な斜視図である。
【図２】図１のキャップを示す模式的な縦割りの図である。
【図３】図１のキャップを有する内視鏡ヘッドを示す模式的な斜視図であり、ここではキャップが縦割りで示されており、アルバランレバーは第１の遠位の位置にある。
【図４】本実施例のキャップを有する内視鏡ヘッドであり、アルバランレバーは第２の位置で遠位の位置から持ち上げられている。
【図５】図４のキャップを有する内視鏡ヘッドであり、キャップが縦割りで示されている。
【図６】本実施例の内視鏡ヘッドを示す模式的な斜視図であり、内視鏡ヘッドが縦割りで示されており、アルバランレバーは第１の遠位の位置にあり、アルバランレバーはキャップなしで示されている。
【図７】図６に類似する模式的な斜視図であり、アルバランレバーは第２の位置で持ち上げられている。
【図８】図６に類似する模式的な斜視図であり、アルバランレバーは第３の位置でさらに大きく持ち上げられている。
【図９】図６のような内視鏡ヘッドをアルバランレバーの側から示す図である。
【図１０】図７のような内視鏡ヘッドをアルバランレバーの側から示す図である。
【図１１】図８のような内視鏡ヘッドをアルバランレバーの側から示す図である。
【発明を実施するための形態】
【００１７】
以下において、図面を参照しながら実施例を用いて本発明を詳しく説明する。
【００１８】
実施例
以下において、図１〜図１１を参照しながら本発明の一実施例について説明する。
本発明による内視鏡は内視鏡ヘッド１を有している。
まず、各図面を参照しながら内視鏡ヘッド１について説明する。
【００１９】
本発明による内視鏡ヘッド１は円筒状のハウジング１６を有しており、特に、内視鏡ヘッド１の長手方向に沿って互いに平行にそれぞれ延びる、作業通路１１と図示しないワイヤ牽引通路とを有している。ワイヤ牽引通路は牽引ワイヤ５を挿通する。牽引ワイヤ５は、あとで説明するアルバランレバー２を操作するための役目を果たす。作業通路１１は、たとえば食道あるいは十二指腸、胆管、胆のう、膵管、膵臓などを検査するためのマイクロ器具を挿通する。
【００２０】
内視鏡ヘッド１はその外側円周に円周溝１３を有しており、キャップ４が内視鏡ヘッド１に配置されるときに、あとで説明するキャップ４の環状の突起がこの円周溝の中に入る。
内視鏡ヘッド１は遠位の側に（円周溝１３の遠位に）光学系延伸部１２を有していて、これにカメラ１７と照明装置１８が周知の仕方で設けられており、この光学系延伸部１２は図１では平面図の左側に示されている。光学系延伸部１２は、カメラと照明を備えた側面区域を形成する。牽引ワイヤ５は光学系延伸部１２の中まで延びている。換言すると光学系延伸部１２は、カメラと照明を備えたハウジング突出部である。このハウジング突出部は、マイクロ器具の位置と操作運動をカメラ１７の視界に良好に収めるために、アルバランレバー２の横に並んで配置されている。
【００２１】
作業通路１１は遠位端から間隔をおく内視鏡ヘッド１の区域で終わっており、そこで作業通路の遠位の出口開口部１１１を形成する。
作業通路１１の遠位の出口１１１の遠位側に、内視鏡ヘッド１に対して相対的に旋回することができるアルバランレバー２が配置される。このように作業通路１１は、遠位の方向でアルバランレバー２に向かって延びている。
【００２２】
内視鏡ヘッド１は、内視鏡ヘッド１の遠位の領域に回転可能に支承された旋回レバー３を有している。本実施例では、旋回レバー３は光学系延伸部１２に回転可能に支承されている。
【００２３】
以下において、旋回レバー３について詳しく説明する。旋回レバー３は光学系延伸部１２に格納されている。厳密に言うと光学系延伸部１２はその内部に、すべての側で閉じられた旋回レバー・中空スペース１２０を構成する。この旋回レバー・中空スペース１２０の近位の側だけが、上に述べたワイヤ牽引通路とつながっている。換言すると、ワイヤ牽引通路は旋回レバー・中空スペース１２０に連通する。旋回レバー・中空スペース１２０は、向かい合う２つの側壁（そのうち一方は図６に示す壁部１２２である）、両方の側壁をつなぐ２つの被覆壁（上側の壁と下側の壁）、遠位の端部壁、および近位の壁で取り囲まれる。近位の壁に、ワイヤ牽引通路の連通部が設けられる。
【００２４】
この旋回レバー・中空スペース１２０に、旋回レバー３が回転可能に支承されている。旋回レバー・中空スペース１２０の上方に、カメラ１７と照明装置１８が配置されている。図３を参照。
【００２５】
図６は、旋回レバー・中空スペース１２０の中で支承された旋回レバー３を示す。図面のより良い見やすさのために、図６では旋回レバー・中空スペース１２０の壁１２２だけが示されている。壁１２２は内視鏡の長手方向に延びて、旋回レバー・中空スペース１２０の側壁を形成する。壁１２２は、旋回レバー・中空スペース１２０をアルバランレバー構造領域から分離する。
【００２６】
旋回レバー３は、貫通孔としての穴３１と、貫通孔としての穴３２とを有する。穴３１は磁性部材６を配置するための役目を果たす。穴３２は、壁１２０から延びる回転軸１３０を収容するための役目を果たす。
さらに旋回レバー３は、ワイヤ牽引ニップル５１のための配置空間を構成する爪３３を有している。爪３３によって構成される配置空間の中に、ワイヤ牽引ニップル５１が挿入される。ワイヤ牽引ニップル５１は牽引ワイヤ５と結合されていて、牽引ワイヤ５の遠位端を形成する。このようにして旋回レバー３は、牽引ワイヤ５が引っ張られたときに回転軸１３０を中心として回転可能である。
【００２７】
内視鏡ヘッド１の遠位の区域で、内視鏡ヘッド１の外側円周に本発明による保護キャップ４が装着される。
以下において、保護キャップ４について説明する。
【００２８】
保護キャップ４は底面を備える円筒として構成される。換言すると、保護キャップ４はカップ形である。このカップ形は、保護キャップ４の遠位の側に設けられる底面と、周回する側壁とを有する。カップ形の大きさは、作業通路１１の遠位の出口１１１とアルバランレバー構造領域とが覆われるように、保護キャップ４を内視鏡ヘッド１の外側円周にセットできるように選択される。このようにして、キャップ４によって光学系延伸部１２も覆われる。
【００２９】
保護キャップ４は、カメラ１７や照明装置１８への光学的なアクセスを保証する窓４１を有する。図１および図３を参照。
保護キャップ４はプラスチックから、たとえば射出成型法や３Ｄプリンタを用いて製作される。
【００３０】
窓４１は、保護キャップ４の側壁の平坦に構成された区域に設けられる。保護キャップ４が内視鏡ヘッド１に配置されたとき、保護キャップ４の側壁の平坦に構成された区域はアルバランレバー２の上方にある。窓４１を通してマイクロ器具を押し込むことができる。さらにキャップ４は、照明装置１８が窓４１を通して光を照射し、カメラ１７が窓４１を通して画像を記録するように内視鏡ヘッド１に配置される。
【００３１】
保護キャップ４は遠位の開口部４２を有する。キャップ４の遠位の開口部４２に、（図示しない）リング状の突起が内側円周面に構成される。リング状の突起は、内視鏡ヘッド１にある円周溝１３との係合のための係合装置を形成する。
保護キャップ４の中でアルバランレバーが回転可能に配置される。そのために保護キャップ４の側壁に、保護キャップ４の内部へと延びるアルバランレバー回転軸４４が設けられている。アルバランレバー回転軸４４にアルバランレバー２が配置される。
以下において、アルバランレバー２について説明する。
【００３２】
図２には、アルバランレバーが横から見た斜視図で示されている。
アルバランレバー２は器具案内面２０を有していて、内視鏡ヘッド１の作業通路１１を通して挿通可能な器具が内視鏡ヘッド１の横方向へ（図３では上方に向かって）偏向するためにこれに接触することができ、それによりマイクロ器具をたとえば胆管へ挿入することができる。アルバランレバー２が内視鏡ヘッド１に組み付けられているとき、器具案内面２０は作業通路１１の遠位の端部開口部１１１に向かい合う。図３を参照。
【００３３】
アルバランレバー２は近位の側にベース区域２２を有している。ベース区域２２は、アルバランレバー２が組付位置にあるときに近位の方向へ延びる。
ベース区域２２の近位の領域に、回転軸収容穴２３が設けられている。回転軸収容穴２３にアルバランレバー回転軸４４が挿入される。このように、アルバランレバー２はアルバランレバー回転軸４４を中心として回転可能である。
【００３４】
アルバランレバー２の遠位の領域では、アルバランレバー２に穴２４が構成されている。穴２４の中に、磁場によって影響を与えることが可能な物体としての鉄部材７が配置されている。鉄部材７は、ここでは磁場によって影響を与えることが可能な物体の一例として理解されるべきものである。
【００３５】
キャップ４が内視鏡ヘッド１に組み付けられているとき、旋回レバー３とアルバランレバー２は、アルバランレバー回転軸４４と回転軸１３０とがほぼ等しい中心軸上に位置するような相対位置にある。さらに、旋回レバー３の磁性部材６とアルバランレバー２の鉄部材７は互いに隣接しながら、壁１２２によって分離されるように配置される。
【００３６】
特にこの構造は、旋回レバー３の磁性部材６がアルバランレバー２の鉄部材７に対して磁気的な吸引力を及ぼすように設計される。
アルバランレバー２は同じくプラスチックから、たとえば射出成型法や３Ｄプリンタを用いて製作されていてよい。
【００３７】
発明の機能
本発明による内視鏡は次のように適用される。
新しい内視鏡または洗浄されて滅菌された内視鏡が準備される。新しい本発明によるキャップ４が、挿入されたアルバランレバー２とともに、内視鏡ヘッド１の遠位の端部区域にセットされる。このとき、キャップ４の遠位の開口部４２のリング状の突起が内視鏡ヘッド１にある円周溝１３に係合し、そこで係止される。
【００３８】
内視鏡ヘッド１に装着された状態のとき、カメラ１７と照明装置１８は窓４１を通して露出する。キャップの近位の開口部３２は、係止装置を介して、内視鏡ヘッド１の外側円周に密閉式に当接する。アルバランレバー２と旋回レバー３は操作されていない位置にあり、すなわち、遠位の位置である第１の位置にある。図３、図６および図９をそれぞれ参照。
【００３９】
内視鏡を検査または処置の目的のために患者へ挿入することができる。
たとえば胆管の開口部に向き合う十二指腸などの所望の場所まで内視鏡が挿入されると、胆管の開口部の領域を照明装置１８とカメラ１７によって照明して撮影することができる。
【００４０】
そして、マイクロ器具を作業通路１１に押し込むことができる。マイクロ器具は、たとえばガイドワイヤ、生検ピンセット、ステントシステム、カテーテルシステム、パピロトームなどであり得る。
マイクロ器具は作業通路１１の遠位の出口開口部１１１を通して押し込まれ、アルバランレバー２の器具案内面２０に達する。
【００４１】
そして、マイクロ器具のそれ以上の前進運動をサポートするためにアルバランレバー２が旋回する。
この目的のために、牽引ワイヤ５を引っ張ることで、旋回レバー３が第１の遠位の位置から、旋回レバー３が若干持ち上げられた第２の位置へと移る。旋回レバー３の磁性部材６がアルバランレバー２の鉄部材７に対して磁気的な吸引力を及ぼすので、アルバランレバー２は旋回レバー３の回転運動に追従する。このようにアルバランレバー２も、アルバランレバー２が若干持ち上げられた第２の位置へと動く。図４、図５、図７および図１０をそれぞれ参照。
【００４２】
牽引ワイヤ５をさらに引っ張ることで、旋回レバー３を第２の位置から、旋回レバー３がさらに強く持ち上げられる第３の位置へと移すことができる。旋回レバー３の磁性部材６がアルバランレバー２の鉄部材７に対して磁気的な吸引力を及ぼすので、アルバランレバー２はふたたび旋回レバー３の回転運動に追従する。このようにアルバランレバー２も、アルバランレバー２がさらに強く持ち上げられる第３の位置へと動く。図８および図１１をそれぞれ参照。
【００４３】
このように牽引ワイヤ５の交互の引張運動と弛緩運動により、近位の側に近づくように、および遠位の側に近づくように行われるアルバランレバー２の交互の旋回を惹起することができる。
【００４４】
発明の効果と利点
本発明は、牽引ワイヤ５から空間的に分離された簡素で低コストな保護キャップ４を提供する。アルバランレバーはその幾何学的構造に基づいて数多くのアンダーカットを提供し、使用時にこれらに細菌などが付着する可能性があり、集中的な洗浄と滅菌をしてもこれがアルバランレバーに残るかもしれない。しかし、アルバランレバー２そのものが、本発明では保護キャップ４の中に配置される。保護キャップ４をアルバランレバー２とともに、使用後に処分することができる。
【００４５】
光学系延伸部１２の表面は平坦であり、容易に洗浄することができる。
このように本発明による保護キャップ４は、次回の使用時における次回の患者への、内視鏡の使用時に内視鏡が接触した細菌などの伝播が回避される手段を形成する。
アルバランレバー２は使い捨て部品として構成して処分することができる。別案として、アルバランレバー２を保護キャップ４から引き出して、洗浄と滅菌に回すことができる。
【００４６】
内視鏡ヘッド中でワイヤ牽引通路が封止されており、牽引ワイヤ５は周囲に対して完全に封止される。ワイヤ牽引通路と牽引ワイヤの封止は水密である。したがって、細菌がワイヤ牽引通路に侵入し得ることや、牽引ワイヤ５と接触し得ることが回避される。
【００４７】
代替案
本実施例では、旋回レバー３は光学系延伸部１２で回転可能に支承される。別案では、内視鏡ヘッドはその遠位の端部領域に、旋回レバー３が回転可能に支承される、光学系延伸部１２と平行に延びる旋回レバー延伸部を有することができる。そして光学系延伸部１２と旋回レバー延伸部との間の空間に、アルバランレバー配置空間が構成される。
【００４８】
そして付属のキャップは、キャップが内視鏡ヘッドに装着されたとき、アルバランレバーがアルバランレバー配置空間で回転可能に保持されるように適合化される。たとえば、窓４１と向かい合うキャップ４の内面から延びる軸受支柱が、アルバランレバーを回転可能に支持することができる。この代替案では、旋回レバー３のための設計スペースが旋回レバー延伸部のほうを向くことができる。
【００４９】
穴３１と穴３２は貫通孔である必要はない。穴３１と穴３２は、それぞれ止まり穴として構成されていてよい。それぞれの止まり穴は、図６で観察者と反対を向くほうの側で旋回レバー３に構成されるのが好ましい。
【００５０】
本実施例ではアルバランレバー２に、磁場によって影響を与えることが可能な物体として鉄部材７が配置される。さらに旋回レバー３に磁性部材６が配置される。本発明はこれだけに限定されるものではない。磁性部材６がアルバランレバー２に配置されていてよく、鉄部材７が旋回レバー３に配置されていてよい。設計スペースが存在する場合には、アルバランレバー２および／または旋回レバー３に、内視鏡の近位の側から励起可能である電磁石が配置されていてもよい。旋回レバー３の旋回運動がアルバランレバー２の相応の追従運動を引き起こす程度に強い磁場が生成され、または存在しているだけで足りる。
【００５１】
本実施例では、アルバランレバー２はキャップ４の中に配置される。別の代替案では、アルバランレバー２はキャップ４から分離されて、内視鏡ヘッド１の遠位の領域で壁１２２に配置されていてよい。厳密に言うと、回転軸１３０が壁１２２を貫いており、旋回レバー３が据え付けられる回転軸１３０の軸端区域に対して反対を向いている回転軸１３０の軸端区域に、アルバランレバー２を取外し可能に装着することができる。
【００５２】
本実施例ではアルバランレバー２はプラスチックから製作されて、鉄部材７のための穴２４が付与される。別案ではアルバランレバーは、磁性体、または磁場によって影響を与えることが可能な物体が分散されたプラスチックから製作されていてよい。
【符号の説明】
【００５３】
１  内視鏡ヘッド
２  アルバランレバー
３  旋回レバー
４  キャップ
５  牽引ワイヤ
６  磁性部材
７  鉄部材
１１  作業通路
１２  光学系延伸部
１３  円周溝
１６  内視鏡ヘッドのハウジング
１７  カメラ
１８  照明装置
２０  器具案内面
２２  ベース区域
２３  回転軸収容穴
２４  鉄部材のための穴
３１  磁性部材のための穴
３２  回転軸のための穴
３３  ワイヤ牽引ニップルのための爪
４１  窓
４２  遠位の開口部
４４  アルバランレバー回転軸
５１  ワイヤ牽引ニップル
１１１  作業通路の遠位の出口
１２０  旋回レバー・中空スペース
１２２  壁
１３０  回転軸
【図１】
2019531145.tif 000003
【図２】
2019531145.tif 000004
【図３】
2019531145.tif 000005
【図４】
2019531145.tif 000006
【図５】
2019531145.tif 000007
【図６】
2019531145.tif 000008
【図７】
2019531145.tif 000009
【図８】
2019531145.tif 000010
【図９】
2019531145.tif 000011
【図１０】
2019531145.tif 000012
【図１１】
2019531145.tif 000013
【国際調査報告】
2019531145.tif 000014
2019531145.tif 000015
2019531145.tif 000016
2019531145.tif 000017
2019531145.tif 000018
2019531145.tif 000019
2019531145.tif 000020
2019531145.tif 000021